(57)【要約】      （修正有）【課題】溶解炉周辺における作業に支障をきたすことなく、かつ、作業者の安全の確保を図ることができる溶解炉用防護柵を提供する。【解決手段】溶解炉の前面に設置した開閉自在の前面防護柵２と、溶解炉の前方側面両側に設置した移動自在の移動式防護柵３と、溶解炉の一方の側面に設置した折り畳み自在の折り畳み式防護柵４と、溶解炉の他方の側面の外側に設置した固定防護柵５、及び他方の側面の内側に設置した一端に回動軸８を有する開閉制御された防護柵６からなる二重構造防護柵７を備える溶解炉用防護柵。前面防護柵は一端に回動軸を有する左右対称の一対の防護柵からなり、先端側の下側部分が解放されていることが、好ましい溶解炉用防護柵。【選択図】図１
2017140628.tif 000002
【特許請求の範囲】
【請求項１】
溶解炉の周囲に設置する溶解炉用防護柵であって、
溶解炉の前面に設置した開閉自在の前面防護柵と、
溶解炉の前方側面両側に設置した移動自在の移動式防護柵と、
溶解炉の一方の側面に設置した折り畳み自在の折り畳み式防護柵と、
溶解炉の他方の側面の外側に設置した固定防護柵、及び他方の側面の内側に設置した一端に回動軸を有する開閉制御された防護柵からなる二重構造防護柵を備えることを特徴とする溶解炉用防護柵。
【請求項２】
前記前面防護柵は、一端に回動軸を有する左右対称の一対の防護柵から形成されており、先端側の下側部分が解放されていることを特徴とする請求項１に記載の溶解炉用防護柵。
【請求項３】
前記二重構造防護柵において外側に設置した固定防護柵は、真上から見た形状が略コの字型になっており、前記二重構造防護柵において内側に設置した開閉制御された防護柵と前記固定防護柵の略コの字型の先端側が前記開閉制御された防護柵側となるように平行に隣接するように設置されており、前記開閉制御された防護柵の閉じた状態にある先端付近に前記固定防護柵の略コの字型の一端が設置されており、前記固定防護柵の略コの字型の他端は、前記内側に設置した開閉制御された防護柵の回動軸と前記内側に設置した開閉制御された防護柵の先端との間に設置されていることを特徴とする請求項１または請求項２に記載の溶解炉用防護柵。
【請求項４】
前記内側に設置した開閉制御された防護柵は、前記二重構造防護柵に隣接するように設置した柱に備えた安全装置によって開閉制御されていることを特徴とする請求項１乃至請求項３のいずれかに記載の溶解炉用防護柵。
【発明の詳細な説明】
【技術分野】
【０００１】
本発明は、主に鋳造に用いる溶解炉周囲に設置する溶解炉用防護柵に関する。さらに言えば、溶解炉周囲における作業に支障をきたすことなく、かつ、作業者の安全を確保することができる溶解炉用防護柵に関する。
【背景技術】
【０００２】
鋳造においては、鋳型に溶湯を鋳入するために、地金（インゴット）を溶解炉に投入し、溶解炉にて地金（インゴット）を溶融する作業が行われる。溶解炉から直接鋳型に溶湯を鋳入することは殆ど無く、溶湯を一旦保持炉にストックしておき、保持炉から鋳型に鋳入することが一般的である。従って、溶解炉から保持炉に溶湯を流し込むために、溶解炉を傾動（角度をつけるために傾けること）させて溶湯を保持炉に流し出し、溶湯を受け取った保持炉から鋳型に鋳入して鋳物を鋳造する。溶湯は非常に高温であり、溶解炉を傾動する際、溶解炉周囲も一緒に傾動するため溶解炉周囲での作業は危険を伴うため防護柵を設置している。
【０００３】
溶解炉周囲では、溶解炉前面から溶解炉の表面に浮いたノロ（金属酸化物）を取り除く作業、及び溶解炉の側面から保持炉に残った溶湯を溶解炉に戻す作業、その他溶解炉や溶解炉周囲の設備の点検確認等の作業をする必要があるが、これらの作業は単に溶解炉の周囲に防護柵を設置したことにより作業者の動きが制限されてしまい作業効率が悪くなるという問題点があった。
【０００４】
特許文献１には、鋳造用の溶解炉周囲に防護柵を設置した先行技術として、アルミニウム搬送用溶湯ポット内に収納したアルミニウム溶湯の表面に浮遊する表面酸化物を、表面酸化物排出用治具を備えたロボットを設置することで除去する技術において、アルミニウム搬送用溶湯ポットの周囲のコンクリート床面部に四角形状の安全柵を立設した先行技術が開示されている。
【先行技術文献】
【特許文献】
【０００５】
【特許文献１】特開２０１０−１４２８１２号公報
【発明の概要】
【発明が解決しようとする課題】
【０００６】
特許文献１に係る「アルミニウム搬送用溶湯ポット内表面酸化物排出装置（特許文献１：発明の名称）」は、基本的に人間が作業することが無いので、安全柵自体に何らの工夫もなされていないものである。これに対し、本発明における溶解炉用防護柵は溶解炉周囲での作業者の作業を妨げることが無いようにしなければならないものである。かかる状況を踏まえて、出願人らは、鋭意検討を重ねた結果、溶解炉周囲における作業に支障をきたすことなく、かつ、作業者の安全の確保を図ることができる溶解炉用防護柵を発明するに至ったのである。
【０００７】
本発明の目的は、溶解炉周囲における作業に支障をきたすことなく、かつ、作業者の安全を確保することができる溶解炉用防護柵を提供することにある。
【課題を解決するための手段】
【０００８】
上記課題を解決するために、請求項１に記載された発明は、溶解炉の周囲に設置する溶解炉用防護柵であって、溶解炉の前面に設置した開閉自在の前面防護柵と、溶解炉の前方側面両側に設置した移動自在の移動式防護柵と、溶解炉の一方の側面に設置した折り畳み自在の折り畳み式防護柵と、溶解炉の他方の側面の外側に設置した固定防護柵、及び他方の側面の内側に設置した開閉制御された防護柵からなる二重構造防護柵を備えることを特徴とする溶解炉用防護柵であることを特徴とするものである。尚、本明細書において、溶解炉の前面側とは、溶解炉にインゴットが供給される側のことを言うこととする。
【０００９】
請求項２に記載された発明は、請求項１に記載された発明において、前記前面防護柵は、一端に回動軸を有する左右対称の一対の防護柵から形成されており、先端側の下側部分が解放されている溶解炉用防護柵であることを特徴とするものである。
【００１０】
請求項３に記載された発明は、請求項１または請求項２に記載された発明において、前記二重構造防護柵において外側に設置した固定防護柵は、真上から見た形状が略コの字型になっており、前記二重構造防護柵において内側に設置した開閉制御された防護柵と前記固定防護柵の略コの字型の先端側が前記開閉制御された防護柵側となるように平行に隣接するように設置されており、前記開閉制御された防護柵の閉じた状態にある先端付近に前記固定防護柵の略コの字型の一端が設置されており、前記固定防護柵の略コの字型の他端は、前記内側に設置した開閉制御された防護柵の回動軸と前記内側に設置した開閉制御された防護柵の先端との間に設置されている溶解炉用防護柵であることを特徴とするものである。
【００１１】
請求項４に記載された発明は、請求項１乃至請求項３のいずれかに記載された発明において、前記内側に設置した開閉制御された防護柵は、前記二重構造防護柵に隣接するように設置した柱に備えた安全装置によって開閉制御されている溶解炉用防護柵であることを特徴とするものである。
【発明の効果】
【００１２】
請求項１に記載の溶解炉用防護柵においては、溶解炉の前面に開閉自在の前面防護柵を設置しているので、溶解炉の前面における作業の安全を確保することができるし、溶解炉の前方側面両側に移動自在の移動式防護柵を設置しているので、インゴット供給貨車が溶解炉に向かって移動中に誤って作業者が侵入できないようにすることができる。そして、溶解炉の一方の側面に設置した、必要に応じて溶解炉側に迫り出す様に設置することができる折り畳み自在の折り畳み式防護柵を設置しているので、より溶解炉に近い場所において作業者の安全を確保しつつ作業することができる。さらに、溶解炉の他方の側面の外側に設置した固定防護柵、及び他方の側面の内側に設置した安全装置により開閉制御された防護柵からなる二重構造防護柵を備えているので、安全装置により作業者の安全を確保しつつ、他の作業者の侵入を防止することができる。
【００１３】
請求項２に記載の溶解炉用防護柵においては、前面防護柵が一端に回動軸を有する左右対称の一対の防護柵から形成されており、前面防護柵の先端側の下側部分は、（防護柵が無く）解放されているので、前面防護柵が溶解炉の前面が閉じられた状態において、作業者が溶解炉の正面に形成された空間を利用して、例えば、溶湯の表面に浮遊する表面酸化物を、表面酸化物排出用治具等を用いて除去する作業を防護柵に妨げられることなく行うことができる。
【００１４】
請求項３に記載の溶解炉用防護柵の外側に設置した固定防護柵は、真上から見た形状が略コの字型になっているので、固定防護柵の正面（溶解炉から見ると側面）からの衝撃に対してコの字型の先端部により支えられる構造であるので倒れにくくなっている。そして、開閉制御された防護柵の開閉する先端付近に固定防護柵の略コの字型の一端が設置されており、固定防護柵の略コの字型の他端は、内側に設置した開閉制御された防護柵の回動軸と内側に設置した開閉制御された防護柵の先端との間に設置されているので、固定防護柵と開いた状態にある開閉制御された防護柵が形成する侵入スペースに、一人の作業者だけが侵入することができるとともに、固定防護柵によって他の作業者が侵入することができないように防御することができる。
【００１５】
請求項４に記載の溶解炉用防護柵の内側に設置した開閉制御された防護柵は、二重構造防護柵に隣接した柱に設置した安全装置（作業者が二重構造防護柵に隣接した柱とロープ等で繋がれた状態でないと開閉制御された防護柵が開かないようになっている）によって開閉が制御されているので、作業者は二重構造防護柵に隣接した柱にロープ等で繋がれた状態であり、動く範囲が限定されているので誤って溶解炉に接近し過ぎたりすることがなくなった。また安全装置は一人分しか備えられていないので、一人の作業者のみが開閉制御された防護柵から溶解炉の付近に侵入するようことを前提に設計されている。
【図面の簡単な説明】
【００１６】
【図１】本発明に係る溶解炉用防護柵の配置を示すための全体上面図である。
【図２】前面防護柵の正面図である。
【図３】折り畳み式防護柵、及び溶解炉周りを示すための上面図である。
【図４】二重構造防護柵７の正面図（ａ）、及び、二重構造防護柵７の上面図（ｂ）である。
【図５】開閉制御された防護柵の安全装置について説明するための図である。
【図６】溶解炉用防護柵の作業時における各種防護柵の開閉状態を説明するための全体上面図である。
【発明を実施するための形態】
【００１７】
＜溶解炉用防護柵の構造＞
以下、本発明に係る溶解炉用防護柵１の一実施形態について、図１〜図６に基づいて詳細に説明する。図１は、本発明に係る溶解炉用防護柵１の配置を示すための全体上面図である。本発明に係る溶解炉防護柵１は、図１において黒色で塗りつぶされていない防護柵
である。図１において黒色で塗りつぶした箇所は従来型の固定設置された防護柵等であり、本発明に係る溶解炉用防護柵１に含まれない（図１以下についても同じ）。尚、斜線で示した部分は溶解炉の周辺部の床面であって、溶解炉から保持炉に溶湯を移動させるために溶解炉を傾動させた際、溶解炉と一体的に傾動する床面の範囲を表示している。
【００１８】
図１に記載したように、本発明に係る溶解炉用防護柵１は、溶解炉の前面側（インゴットが供給される側）に設置した開閉（いわゆる観音開き）自在の前面防護柵２と、溶解炉の前方側面両側（インゴットが供給される側）に設置した平行方向に移動自在の移動式防護柵３と、溶解炉の一方の側面側に設置した、必要に応じて溶解炉側に迫り出す様に設置することができる折り畳み自在の折り畳み式防護柵４と、溶解炉の他方の側面側の外側に設置した固定防護柵５、及び他方の側面側の内側に設置した、安全装置により開閉制御された防護柵６からなる二重構造防護柵７を備えている。
【００１９】
折り畳み式防護柵４は、特に溶解炉に接近しなければできない作業（例えば、保持炉内の溶湯を溶解炉内に戻す作業等）を行う際に、溶解炉側に向かって迫り出す様に設置できるようにするために折り畳める機能を備えた防護柵である。図１に記載したように、折り畳み式防護柵４は、真上から見た形状が「くの字」形状であって両端に回動軸８を備えた防護柵と、真上から見た形状が「ストレート」形状の防護柵を連結させた防護柵である。
【００２０】
図２は前面防護柵２の正面図である。溶解炉自体の設置位置（高さ）はインゴット投入等の作業性や作業者の安全等を考慮して、溶解炉の上端の位置が床面から３０ｃｍ程度の高さになるように設置されている（溶解炉の上端から３０ｃｍ程度よりも下の部分は、図２において点線で記載したように床面よりも下に設置されている）。図２に記載したように前面防護柵２は、いわゆる観音開きによる開閉方式であり左右対称の一対の防護柵により構成されている。そして、前面防護柵２の先端側、即ち、溶解炉正面の溶解炉に最も近い箇所は、前面防護柵２の下半分程度、柵部分が形成されておらず解放されており、左右対称の一対の前面防護柵２を閉じた際、溶解炉の手前に空間が形成されるようになっている。
【００２１】
図３は、折り畳み式防護柵４、及び溶解炉周りを示すための上面図である。図３において斜線部は、溶解炉の傾動と一体化して傾動する溶解炉周辺の床面である。本発明に係る折り畳み式防護柵４は、作業者が溶解炉の近くで作業する際は、図３（ａ）に記載されたように、溶解炉側に迫り出している。作業者が溶解炉の近くで作業する必要が無い時、及び溶解炉を傾動させて保持炉に溶湯を流し出す際は、最初に、図３（ｂ）に記載したように、折り畳み式防護柵４の「ストレート」形状部分を回動させて折り畳み、さらに、図３（ｃ）に記載したように、折り畳み式防護柵４の「くの字」形状部分の基端側の回動軸８を回動させて溶解炉傾動時の妨げにならないように折り畳むことができる。
【００２２】
図４は、二重構造防護柵７の正面図（ａ）、及び、二重構造防護柵７の上面図（ｂ）である。二重構造防護柵７は、（溶解炉から見て）外側に設置された固定防護柵５と（溶解炉から見て）内側に設置された開閉制御された防護柵６から構成されている。二重構造防護柵７において外側に設置した固定防護柵５は、真上から見た形状が略コの字型になっており、二重構造防護柵７において内側に設置した開閉制御された防護柵６と平行に隣接するように設置されている。そして、二重構造防護柵７において内側に設置した開閉制御された防護柵６の先端付近に略コの字型の一端が設置されており、略コの字型の他端が、内側に設置した開閉制御された防護柵６の回動軸８と先端との間（図４においては、開閉制御された防護柵６の中心よりも回動軸８側に寄っている）に設置されている。
【００２３】
固定防護柵５、及び開閉制御された防護柵６の設置状態、及び形状に関して、より詳細に記述すれば、固定防護柵５と開閉制御された防護柵６の設置状態は、開閉制御された防護柵６の方が固定防護柵５よりも５０ｃｍ程度長くなっている。そして、固定防護柵５の上から見た形状は、開閉制御された防護柵６の先端部が４５°程度の角度を成すようになっている。要するに、二重構造防護柵７は、作業者が溶解炉に接近して作業できるように、固定防護柵５と開閉制御された防護柵６との設置位置が完全に重なっておらず、開閉制御された防護柵６が固定防護柵５に対して５０ｃｍ程度突出しているので作業者が開閉制御された防護柵６を開くことにより、作業者が溶解炉付近に接近する際の侵入口、及び退出口を形成する。
【００２４】
さらに、図４の正面図（ａ）に記載したように、開閉制御された防護柵６は、固定防護柵５により防護されていない部分は上から下まで防護柵が形成されているが、固定防護柵５により防護されている部分は、作業者が開閉作業をスムーズに行うため、作業者の安全を確保するために必要な上部のみ防護柵が形成されており、安全を確保するためにあまり必要ではない下部は防護柵が形成されておらず解放されている。
【００２５】
図５は開閉制御された防護柵６の安全装置９について説明するための図である。図５に記載したように、二重構造防護柵７において内側に設置された開閉制御された防護柵６は、作業者が二重構造防護柵７に隣接するように設置した柱に設置した安全装置９に繋がれたロープ又は鎖を、カラビナ等を使用して作業者の腰付近に連結する（図５参照）ことにより作業者が一定の距離（ロープ又は鎖の長さ）以上、二重構造防護柵７に隣接するように設置した柱から離れて移動することができないようにして、作業者の安全が確保されない限り開かないように制御されている。
【００２６】
要するに、二重構造防護柵７において内側に設置した開閉制御された防護柵６は、二重構造防護柵７に隣接するように設置した柱とロープ、又は鎖を連結する器具が安全装置９になっており、作業者の腰付近に、カラビナ等を使用して二重構造防護柵７に隣接するように設置した柱とロープ、又は鎖と作業者が繋がって安全が確保された状態にならなければ、二重構造防護柵７において内側に設置した開閉制御された防護柵６は開かないように制御されている。
【００２７】
＜溶解炉用防護柵の作業時における開閉状態＞
本発明に係る溶解炉用防護柵１は、各種の防護柵が其々の作業の場面に応じて作業者の安全を確保することができるように制御されていることにも特徴がある。移動式防護柵３は、インゴットを溶解炉に供給する貨車の駆動ラインの左右に設置されており、移動式防護柵３が溶解炉に最も接近した位置に設置されない限り貨車が溶解炉にインゴットを溶解炉に供給するために移動できないように制御されており、さらに、移動式防護柵３が溶解炉に最も接近した位置に設置され作業者が侵入できないようになり、かつ、前面防護柵２が開いて、溶解炉が傾動する時に干渉しないように溶解炉の側面側に設置された状態にならない限り溶解炉が傾動できないように制御されている。
【００２８】
図６は、溶解炉用防護柵１の作業時における各種防護柵の開閉状態を説明するための全体上面図である。図６（ａ）は、作業者が溶解炉周りで作業する際の開閉状態を示した図であり、図６（ｂ）は、インゴット供給時における開閉状態を示した図であり、図６（ｃ）は、溶解炉傾動時における開閉状態を示した図である。
【００２９】
図６（ａ）に記載したように、作業者が溶解炉周りで作業する際は、前面防護柵２は閉じており、移動式防護柵３は溶解炉から離れており、折り畳み式防護柵４は溶解炉側に迫り出している。作業者は溶解炉の前面に設置された前面防護柵２、及び溶解炉側に迫り出した折り畳み式防護柵４に防護されており安全を確保された状態で溶解炉周りでの作業をすることができるようになっている。さらに、二重構造防護柵７の内側に設置した開閉制御された防護柵６は、作業者が安全装置を解除（二重構造防護柵７に隣接するように設置した柱と作業者がロープ等で繋がれた状態にすることで解除される）すれば開閉できるようになっており、作業者は、二重構造防護柵７に隣接するように設置した柱を基点としてロープの長さよりも溶解炉に近づくことができないようになっている。
【００３０】
図６（ｂ）に記載したように、インゴットを溶解炉に供給する際は、（移動式防護柵３と連動して作動する）前面防護柵２は開いており、移動式防護柵３は溶解炉に最接近しており、折り畳み式防護柵４は折り畳まれており、二重構造防護柵７の内側に設置した開閉制御された防護柵６は閉じている。かかる際に、移動式防護柵３が定位置（図６（ｂ）に記載したように、溶解炉に最接近した位置）に移動して設置されないとインゴット供給貨車は、溶解炉にインゴットを供給するために移動できないように制御されている。即ち、移動式防護柵３は、インゴットを溶解炉に供給する貨車の駆動ラインの左右に設置されており、移動式防護柵３が溶解炉に最接近した位置に移動して設置されない限り貨車が溶解炉にインゴットを供給するために移動できないように制御されている。
【００３１】
図６（ｃ）に記載したように、溶解炉を傾動する際は、前面防護柵２は溶解炉が傾動する時に干渉しないように開いており、移動式防護柵３は、作業者が侵入できないように溶解炉側に接近しており、折り畳み式防護柵４は、溶解炉側に迫り出したままだと干渉してしまうので溶解炉傾動の妨げにならないように折り畳まれており、二重構造防護柵７の内側に設置した開閉制御された防護柵６は閉じている。かかる際に、溶解炉の傾動は前面防護柵２と連動しており（同時に、折り畳み式防護柵４、二重構造防護柵７の内側に設置した開閉制御された防護柵６と連動して作動する）、前面防護柵２が開かない限り（同時に、折り畳み式防護柵４が折り畳まれて、二重構造防護柵７の内側に設置した開閉制御された防護柵６は閉じた状態にならない限り）溶解炉は傾動できないように制御されている。溶解炉を傾動する際インゴット供給貨車は、溶解炉から離れている。
【００３２】
＜溶解炉用防護柵の効果＞
本発明のポイントは、安全性を確保しつつ溶解炉周りでの作業性を考慮に入れた溶解炉用防護柵１であることを特徴としていることにある。本発明に係る溶解炉用防護柵１は、溶解炉にできるだけ近づくための折り畳み式防護柵４や、溶解炉の前面に設置した前面防護柵２を備えているので、作業者の安全を確保しつつ、より溶解炉に近い場所での作業が可能になった。さらに、溶解炉の側面の外側に設置した固定防護柵５、及び側面の内側に設置した開閉制御された防護柵６からなる二重構造防護柵７を備えているので、安全装置により作業者の安全を確保しつつ、他の作業者の侵入を防止することができるようになった。
【００３３】
折り畳み式防護柵４による効果として、溶解炉に接近しなければならない作業（例えば、保持炉内の溶湯を溶解炉内に戻す作業等）を行う際に、折り畳み式防護柵４を溶解炉側に向かって迫り出す様に設置することにより（折り畳み式防護柵４に備えた２つの回動軸を回動させることにより）作業者の安全を確保しつつ、より溶解炉に近い場所での作業が可能になった。
【００３４】
即ち、作業上の必要に応じて、例えば、鋳入を終えた後に保持炉の中に残った溶湯を溶解炉の中に戻す作業のように溶解炉に近づいて行わなければならない作業をする際は、折り畳み式防護柵４に備えた２つの回動軸８を其々回動させることにより折り畳み式防護柵４を展開させ（図３（ａ）参照）、折り畳み式防護柵４の外から溶解炉付近まで近づいて作業できるようにして、作業者の安全を確保しつつ作業効率を向上させている。
【００３５】
前面防護柵２による効果として、前面防護柵２の先端側、即ち溶解炉正面の溶解炉に最も近い箇所は、防護柵の下半分程度は柵が無く解放されているが、係る解放された空間は、作業者が溶解炉手前から、溶湯に浮かんでいる表面酸化物（いわゆるノロ）を取り出す作業等を、作業者の安全を確保しつつ行い易くするためのものである。即ち、作業者が溶解炉の正面に形成された空間を通じて、溶湯の表面に浮遊する表面酸化物を、表面酸化物排出用治具を用いて除去する作業を防護壁に妨げられることなく行うことができるようになった。
【００３６】
二重構造防護柵７による効果として、作業者が丁度一人だけ侵入することができる程度のスペースが形成されるとともに、二重構造防護柵７において外側に設置した固定防護柵５によって、他の作業者が侵入することができないように防御することができるようになった。そして、固定防護柵５は、「コの字」型なので溶解炉側面（固定防護柵５正面）から力が掛かったときであっても倒れにくい構造に成っている。さらに、開閉制御された防護柵６が開いている時、作業者は二重構造防護柵７に隣接した柱にロープや鎖等で繋がれた状態であり、動ける範囲がロープや鎖の長さに限定されているので誤って溶解炉に接近し過ぎたりすることがなくなった。
【００３７】
要するに、二重構造防護柵７において内側に設置した開閉制御された防護柵６によって、二重構造防護柵７に隣接した柱に設置した安全装置９を作業者に連結しない限り開かないように制御されているので、作業者は、二重構造防護柵７に隣接した柱に繋がれた状態であり、動く範囲が限定されているので誤って溶解炉に接近し過ぎたりすることがなくなった。そして、開閉制御された防護柵６を開いた時、作業者一人が入れる程度のスペースを確保できるようになった。安全装置９は一つしか設置されておらず、作業者を一人しか溶解炉付近に侵入させないことを前提に設計されている。万が一他の作業者が侵入しようとしても、固定防護柵５によって侵入することができない。
【００３８】
溶解炉周囲における作業に支障をきたすことなく、かつ、作業者の安全を確保することができるように、インゴットを溶解炉に供給する際は、移動式防護柵３の溶解炉に最接近する動きと連動して、前面防護柵２が開いた状態になるように作動するので、開いた状態になっており、溶解炉を傾動する際は、溶解炉の傾動は、前面防護柵２と開く作動と連動しており（同時に、折り畳み式防護柵４の折り畳まれる作動、及び二重構造防護柵７の内側に設置した開閉制御された防護柵６の閉じられる作動と連動して作動する）、前面防護柵２が開かない限り（同時に、折り畳み式防護柵４が折り畳まれて、二重構造防護柵７の内側に設置した開閉制御された防護柵６は閉じた状態にならない限り）溶解炉は傾動できないように制御されている。
【００３９】
＜溶解炉用防護柵の変更例＞
本発明に係る溶解炉用防護柵は、上記した各実施形態の態様に何ら限定されるものではなく、前面防護柵、移動式防護柵、折り畳み式防護柵、固定防護柵、開閉制御された防護柵、二重構造防護柵、回動軸、安全装置等の構成を、本発明の趣旨を逸脱しない範囲で、必要に応じて適宜変更することができる。例えば、開閉制御された防護柵は安全確保のため０°〜４５°の間でのみ開閉することができるようにすることもできるし、二重構造防護柵の固定防護柵は、上から見た形状が「くの字」型、又は「ストレート」型にすることもできる。さらに、折り畳み式防護柵を溶解炉周辺の側面に複数個所に設置することもできるし、二重構造防護柵についても溶解炉周辺の側面に複数個所に設置することができる。
【産業上の利用可能性】
【００４０】
本発明に係る溶解炉用防護柵は、上記の如く優れた効果を奏するものであるので、溶解炉周りに設置し、安全を確保するとともに作業性も優れた溶解炉用防護柵として好適に用いることができる。
【符号の説明】
【００４１】
１・・溶解炉用防護柵
２・・前面防護柵
３・・移動式防護柵
４・・折り畳み式防護柵
５・・固定防護柵
６・・開閉制御された防護柵
７・・二重構造防護柵
８・・回動軸
９・・安全装置
【図１】
2017140628.tif 000003
【図２】
2017140628.tif 000004
【図３】
2017140628.tif 000005
【図４】
2017140628.tif 000006
【図５】
2017140628.tif 000007
【図６】
2017140628.tif 000008